(57)【要約】【課題】  ＬＥＤが実装される基板やレンズ部材が取り付けられる筐体の変更があった場合でも金型を変更することなくレンズ部材を曲げて固定することによりその位置を柔軟に変更することができ、組み立て時に機構部品同士のあたりによるレンズ部材の破損を回避することができるＬＥＤを有する電気機器を提供する。【解決手段】  筐体パネル１から先端２ａが露見されるようにレンズ部材２が筐体パネル１に取り付けられ、レンズ部材２の後端２ｃが基板３に取り付けられたＬＥＤ４に対向するように構成され、ＬＥＤ４からの光をレンズ部材２で透過して筐体パネル１の表面に露見したレンズ部材２の先端２ａから外部に投光するようにし、レンズ部材２が透過性のある軟質なシリコン材料で断面四角形に形成され、このレンズ部材２の内部にレンズ部材２の位置決め固定を行うためのワイヤー５が長手方向に埋設されている。【選択図】  図１
2006156239.tif 000002
【特許請求の範囲】
【請求項１】
筐体パネルから先端が露見されるようにレンズ部材が前記筐体パネルに取り付けられ、このレンズ部材の後端が基板に取り付けられたＬＥＤに対向するように構成され、前記ＬＥＤからの光を前記レンズ部材で透過して前記筐体パネルの表面に露見した前記レンズ部材の先端から外部に投光するようにしたＬＥＤを有する電気機器において、前記レンズ部材が透過性のある軟質なシリコン材料で断面四角形に形成され、このレンズ部材の内部にレンズ部材の位置決め固定を行うためのワイヤーが長手方向に埋設されていることを特徴とするＬＥＤを有する電気機器。
【請求項２】
筐体パネルから先端が露見されるようにレンズ部材が前記筐体パネルに取り付けられ、このレンズ部材の後端が基板に取り付けられたＬＥＤに対向するように構成され、前記ＬＥＤからの光を前記レンズ部材で透過して前記筐体パネルの表面に露見した前記レンズ部材の先端から外部に投光するようにしたＬＥＤを有する電気機器において、前記レンズ部材が透過性のある軟質な合成樹脂で形成され、このレンズ部材の内部にレンズ部材の位置決め固定をするためのワイヤーが長手方向に向けて埋め込まれていることを特徴とするＬＥＤを有する電気機器。
【請求項３】
前記レンズ部材がポリマー材料で形成されている請求項１に記載のＬＥＤを有する電気機器。
【請求項４】
前記レンズ部材の側部に前記ワイヤーを外部から埋め込むための埋め込み溝が形成されている請求項２又は３に記載のＬＥＤを有する電気機器。
【請求項５】
前記レンズ部材は先端近傍箇所に鍔部を有し、この鍔部が前記筐体パネルの裏面側に熱溶着で取り付け固定されている請求項２乃至４のいずれかに記載のＬＥＤを有する電気機器。
【発明の詳細な説明】
【技術分野】
【０００１】
本発明は、筐体パネルから先端が露見されるようにレンズ部材が筐体パネルに取り付けられ、このレンズ部材の後端が基板に取り付けられたＬＥＤに対向するように構成され、ＬＥＤからの光をレンズ部材で透過して筐体パネルの表面に露見したレンズ部材の先端から外部に投光するようにしたＬＥＤを有する電気機器に関するものである。
【背景技術】
【０００２】
従来、この種のＬＥＤを有する電気機器は、図６に示すように、筐体パネル１０１にアクリル材料からなるレンズ部材１０２が、その先端が筐体パネル１０１から表面に露見するように取り付けられている。レンズ部材１０２の後端側は下向きに屈曲形成され、その後端が、基板１０３に実装されたＬＥＤ１０４に対向するように構成されている。このＬＥＤからの光がレンズ部材１０２に透過され、このレンズ部材１０２の先端から外部に投光されるようになっている。
【０００３】
ところが、レンズ部材１０２が硬い材料であるアクリル材料で形成されているので、組み立て時に取り付けミスによる破損が発生しやすいという問題があった。また、機構部品や回路基板の部品の位置変更になった場合に、レンズ部材の金型変更が必要になりコスト高になるという問題があった。
【０００４】
第１の従来技術を図７（ａ）（ｂ）に示す。この従来の光照射ロッドは、図７（ａ）（ｂ）に示すように、可撓性ロッド部材２０１と、このロッド部材２０１の外周面にその長手方向にそって部分的に密着せしめられたものであって、光透過性ポリマー及びこのポリマー中に分散せしめられた光拡散反射性粒子を含む光拡散反射膜２０２とを有するものである。          （例えば、特許文献１参照）。
【０００５】
ところが、これにおいては、光拡散反射膜２０２は補強部材ではなく、光照射ロッド２１０を曲がった状態で固定するものではなかった。
【０００６】
第２の従来技術を図８に示す。この従来のライトガイドは、図８に示すように、コア３０２とその外周を包囲したクラッド３０３が互いに屈折率の異なる透明な可撓性材料からなり、上記クラッド３０３に、ケイ光物質３０４を均一に添加したものである。（例えば、特許文献２参照）。
【０００７】
ところが、これにおいては、補強構造でなく、曲がった状態で固定するものではない。
【特許文献１】特開平１０−１４２４２８号公報
【特許文献２】実開平４−２４７０３号公報
【発明の開示】
【発明が解決しようとする課題】
【０００８】
本発明は、上記従来の問題に鑑みてなされたものであって、ＬＥＤが実装される基板やレンズ部材が取り付けられる筐体の変更があった場合でも金型を変更することなくレンズ部材を曲げて固定することによりその位置を柔軟に変更することができ、組み立て時に機構部品同士のあたりによるレンズ部材の破損を回避することができるＬＥＤを有する電気機器を提供することを目的としている。
【課題を解決するための手段】
【０００９】
本発明は、上記課題を解決するために提案されたものであって、請求項１に記載の発明は、筐体パネルから先端が露見されるようにレンズ部材が前記筐体パネルに取り付けられ、このレンズ部材の後端が基板に取り付けられたＬＥＤに対向するように構成され、前記ＬＥＤからの光を前記レンズ部材で透過して前記筐体パネルの表面に露見した前記レンズ部材の先端から外部に投光するようにしたＬＥＤを有する電気機器において、前記レンズ部材が透過性のある軟質なシリコン材料で断面四角形に形成され、このレンズ部材の内部にレンズ部材の位置決め固定を行うためのワイヤーが長手方向に埋設されていることを特徴としている。
【００１０】
請求項２に記載の発明は、筐体パネルから先端が露見されるようにレンズ部材が前記筐体パネルに取り付けられ、このレンズ部材の後端が基板に取り付けられたＬＥＤに対向するように構成され、前記ＬＥＤからの光を前記レンズ部材で透過して前記筐体パネルの表面に露見した前記レンズ部材の先端から外部に投光するようにしたＬＥＤを有する電気機器において、前記レンズ部材が透過性のある軟質な合成樹脂で形成され、このレンズ部材の内部にレンズ部材の位置決め固定をするためのワイヤーが長手方向に向けて埋め込まれていることを特徴としている。
【００１１】
請求項３に記載の発明は、前記レンズ部材がポリマー材料で形成されている。
【００１２】
請求項４に記載の発明は、前記レンズ部材の側部に前記ワイヤーを外部から埋め込むための埋め込み溝が形成されている。
【００１３】
請求項５に記載の発明は、前記レンズ部材は先端近傍箇所に鍔部を有し、この鍔部が前記筐体パネルの裏面側に熱溶着で取り付け固定されている。
【発明の効果】
【００１４】
請求項１に記載の発明によれば、レンズ部材が透過性のある軟質なシリコン材料で形成されているので、このシリコン材料が屈曲自在であり、ＬＥＤが実装される基板やレンズ部材が取り付けられる筐体パネルの変更があった場合でも金型を変更することなくレンズ部材を曲げてワイヤーで固定することにより、その位置を柔軟に変更することができる。また、組み立て時に、機構部品同士のあたりを避けることができ、レンズ部材の破損を回避することができる。
【００１５】
請求項２に記載の発明によれば、レンズ部材が透過性のある軟質な合成樹脂で形成されているので、この合成樹脂が屈曲自在であり、ＬＥＤが実装される基板やレンズ部材が取り付けられる筐体の変更があった場合でも金型を変更することなくレンズ部材を曲げてワイヤーで固定することにより、その位置を柔軟に変更することができる。また、組み立て時に、機構部品同士のあたりを避けることができ、レンズ部材の破損を回避することができる。
【００１６】
請求項３に記載の発明によれば、レンズ部材がポリマー材料で形成されているので、このポリマー部材は入手しやすいものであり、コストダウンを図ることができる。
【００１７】
請求項４に記載の発明によれば、ワイヤーをレンズ部材の側部に形成された埋め込み溝に埋め込むことによって、ワイヤーを簡単にレンズ部材に装着できる。また、レンズ部材は内部にワイヤーを予め埋め込む必要がないので、レンズ部材の成形を簡単に行うことができる。
【００１８】
請求項５に記載の発明によれば、レンズ部材の鍔部を筐体パネルの裏面側に熱溶着で取り付け固定するので、レンズ部材の取り付けを簡単に行うことができ、しかもレンズ部材を筐体パネルに強固に固定することができる。
【発明を実施するための最良の形態】
【００１９】
以下、本発明に係るＬＥＤを有する電気機器の実施の形態について、図を参照しつつ説明する。
【００２０】
図１は本発明の第１実施形態のＬＥＤを有する電気機器を要部を示す正面断面図、図２は図１におけるＡ−Ａ線断面図、図３は同電気機器におけるレンズ部材を基板上の電気部品にあたることを避けるために屈曲した状態の平面断面図である。
【００２１】
この第１実施形態のＬＥＤを有する電気機器は、図１に示すように、筐体パネル１にレンズ部材２が先端２ａが露見されるようにその鍔部２ｂが熱溶着で取り付け固定されている。このレンズ部材２は筐体パネル１の裏側で基板３に取り付けられたＬＥＤ４に後端２ｃが対向するように屈曲形成されている。レンズ部材２は透過性のある軟質なシリコン材料で形成され、図２に示すように四角形に形成されている。このシリコン材料２にはその内部における側部近傍箇所にワイヤー５が長手方向に向けて埋設されている。
【００２２】
このレンズ部材２は屈曲自在であり、屈曲された形状でワイヤー５により位置決め固定されるようになっている。例えば、図３に示すように、基板３上に別の機構部品６が実装されている場合には、レンズ部材２をこの機構部品６を避けるように屈曲し、レンズ部材２が機構部品６にあたらないようにすることができる。また、基板３に実装されたＬＥＤ４の位置がずれていても、レンズ部材２を屈曲してその後端２ｃをＬＥＤ４に正確に対向させることができる。
【００２３】
従って、この第１実施形態によれば、レンズ部材２が透過性のある軟質なシリコン材料で形成されているので、このシリコン材料が屈曲自在であり、ＬＥＤ４が実装される基板３やレンズ部材２が取り付けられる筐体パネル１の変更があった場合でも金型を変更することなくレンズ部材２を曲げてワイヤー５で固定することにより、その位置を柔軟に変更することができる。また、組み立て時に、機構部品６へのあたりを避けることができ、レンズ部材２の破損を回避することができる。
【００２４】
図４は第２実施形態のＬＥＤを有する電気機器におけるレンズ部材の部分斜視図である。
【００２５】
この第２実施形態のＬＥＤを有する電気機器は、図４に示すように、そのレンズ部材２Ａが断面略円形状に形成され、その内部の側部側に長手方向に向けてワイヤー５が埋設されている。
【００２６】
この第２実施形態によれば、レンズ部材２Ａが断面略円形状に形成されているので、屈曲が行い易い利点がある。
【００２７】
図５は第３実施形態のＬＥＤを有する電気機器におけるレンズ部材の部分分解斜視図である。
【００２８】
この第３実施形態のＬＥＤを有する電気機器は、図５に示すように、レンズ部材２Ｂの側部にワイヤー５を外部から埋め込むための埋め込み溝２ｄが形成されている。この埋め込み溝２ｄはその両側の端部２ｅ、２ｆがワイヤー５の直径より狭い間隔に形成されている。従って、ワイヤー５を埋め込み溝２ｄに埋め込んだ後に、このワイヤー５が外れることを阻止できる。
【００２９】
この第３実施形態によれば、ワイヤー５をレンズ部材２Ｂの側部に形成された埋め込み溝２ｄに埋め込むことによって、ワイヤー５を簡単にレンズ部材２Ｂに装着できる。また、レンズ部材２Ｂは内部にワイヤー５を予め埋め込む必要がないので、レンズ部材２Ｂの成形を簡単に行うことができる。しかも、ワイヤー５の埋め込みを簡単に行え、埋め込んだ後にワイヤー５がレンズ部材２Ｂの両側の縁部２ｅ、２ｆで抜けとめされるので外れることがない。
【００３０】
尚、上記実施形態では、レンズ部材２、２Ａ、２Ｂとしてシリコン材料について説明したが、これに限らす、透過性のある軟質なポリマー材料や他の透過性のある合成樹脂も適用できることは勿論である。
【図面の簡単な説明】
【００３１】
【図１】本発明の第１実施形態のＬＥＤを有する電気機器を要部を示す正面断面図である。
【図２】図１におけるＡ−Ａ線断面図である。
【図３】同電気機器におけるレンズ部材を基板上の電気部品にあたることを避けるために屈曲した状態の平面断面図である。
【図４】第２実施形態のＬＥＤを有する電気機器におけるレンズ部材の部分斜視図である。
【図５】第３実施形態のＬＥＤを有する電気機器におけるレンズ部材の部分分解斜視図である。
【図６】従来のＬＥＤを有する電気機器の部分正面断面図である。
【図７】従来の光照射ロッドを示し、（ａ）はその長手方向断面図、（ｂ）は（ａ）におけるＢ−Ｂ線断面図である。
【図８】従来のライトガイドの概略構成を示す部分斜視図である。
【符号の説明】
【００３２】
１        筐体パネル
２        レンズ部材
２Ａ      レンズ部材
２Ｂ      レンズ部材
２ａ      先端
２ｂ      鍔部
２ｃ      後端
２ｄ      埋め込み溝
２ｅ      端部
２ｆ      端部
３        基板
４        ＬＥＤ
５        ワイヤー
６        機構部品
【図７】
2006156239.tif 000003
【図１】
2006156239.tif 000004
【図２】
2006156239.tif 000005
【図３】
2006156239.tif 000006
【図４】
2006156239.tif 000007
【図５】
2006156239.tif 000008
【図６】
2006156239.tif 000009
【図８】
2006156239.tif 000010